(57)【特許請求の範囲】
【請求項１】
洗浄液を基板に供給するための洗浄液供給路部材と、
この洗浄液供給路部材の出口を塞いで外側に膨らむように設けられ、多数の微細な孔を有する、基板を擦するための樹脂シ−トと、
洗浄液供給路部材の途中に設けられ、洗浄液供給路部材の内部の圧力を調整して、これにより前記洗浄液の樹脂シ−トの内側での加圧量を調整する洗浄液供給圧調整手段と、を備え、
前記洗浄液を樹脂シートの内側に供給することにより、樹脂シートを洗浄液供給路部材の出口から外側に膨らませ、洗浄液を樹脂シ−トの内側で加圧して当該樹脂シ−トの微細な孔から吹き出させると共に樹脂シートを基板に押圧させ、前記樹脂シ−トの内側の洗浄液の加圧量にて樹脂シ−トの基板への荷重を調整し、かつ基板の処理中は、樹脂シ−トの内側の洗浄液の加圧量をほぼ一定に調整することを特徴とする基板洗浄具。
【請求項２】
洗浄液を基板に供給するための洗浄液供給路部材と、
この洗浄液供給路部材の出口を塞いで外側に膨らむように設けられ、多数の微細な孔を有する、基板を擦するための樹脂シ−トと、
洗浄液供給路部材の途中に設けられ、洗浄液供給路部材の内部の圧力を調整して、これにより前記洗浄液の樹脂シ−トの内側での加圧量を調整する洗浄液供給圧調整手段と、
洗浄液供給路部材を基板に対して接離させるための駆動部と、を備え、
前記洗浄液を樹脂シートの内側に供給することにより、樹脂シートを洗浄液供給路部材の出口から外側に膨らませ、洗浄液を樹脂シ−トの内側で加圧して当該樹脂シ−トの微細な孔から吹き出させると共に樹脂シートを基板に押圧させ、かつ洗浄液により内側が加圧された樹脂シ−トを前記駆動部により基板に押圧させ、前記樹脂シ−トの内側の洗浄液の加圧量と、駆動部による樹脂シ−トの基板への押圧量とにより、樹脂シ−トの基板への荷重を調整し、基板の処理中は、樹脂シ−トの内側の洗浄液の加圧量をほぼ一定に調整することを特徴とする基板洗浄具。
【請求項３】
洗浄液供給路部材は洗浄液供給管と、この洗浄液供給管に気密にかつ回転自在に嵌合された回転筒とを備え、洗浄液供給圧調整手段は洗浄液供給管の途中に設けられると共に、樹脂シ−トはこの回転筒の出口側に設けられ、前記回転筒を回転させるための駆動部を設けたことを特徴とする請求項１又は２記載の基板洗浄具。
【請求項４】
洗浄液供給路部材を通る洗浄液に超音波を発振してこの洗浄液を振動させる超音波発振部を備えたことを特徴とする請求項１ないし３のいずれか一に記載の基板洗浄具。
【請求項５】
洗浄液供給路部材の出口側には、樹脂シ−トの内側に洗浄液の流路を塞ぐように、多数の孔を備えた水流分散板を設けたことを特徴とする請求項１ないし４のいずれか一に記載の基板洗浄具。
【請求項６】
洗浄液供給路部材の出口側には、樹脂シ−トの内側に洗浄液の流路を塞ぐように透水性の弾性体を設けたことを特徴とする請求項１ないし５のいずれか一に記載の基板洗浄具。
【請求項７】
樹脂シ−トはフッ素樹脂からなることを特徴とする請求項１、２、３、４、５または６記載の基板洗浄具。
【請求項８】
樹脂シ−トはポリオレフィン樹脂からなることを特徴とする請求項１、２、３、４、５または６記載の基板洗浄具。
【請求項９】
洗浄液を基板に供給するための洗浄液供給路部材と、この洗浄液供給路部材の出口を塞いで外側に膨らむように設けられ、多数の微細な孔を有する、基板を擦するための樹脂シ−トと、洗浄液供給路部材の途中に設けられ、洗浄液供給路部材の内部の圧力を調整して、これにより前記洗浄液の樹脂シ−トの内側での加圧量を調整する洗浄液供給圧調整手段と、を備え、前記洗浄液を樹脂シ−トの内側で加圧して当該樹脂シ−トの微細な孔から吹き出させる基板洗浄具を基板に対して相対的に摺動させて当該基板の洗浄を行う基板洗浄方法において、
洗浄液を樹脂シ−トの内側で加圧することにより樹脂シ−トを基板に押圧する工程を含み、
前記樹脂シ−トの内側の洗浄液の加圧量にて樹脂シ−トの基板への荷重を調整し、基板の処理中は、樹脂シ−トの内側の洗浄液の加圧量をほぼ一定に調整することを特徴とする基板洗浄方法。
【請求項１０】
洗浄液を基板に供給するための洗浄液供給路部材と、この洗浄液供給路部材の出口を塞いで外側に膨らむように設けられ、多数の微細な孔を有する、基板を擦するための樹脂シ−トと、洗浄液供給路部材の途中に設けられ、洗浄液供給路部材の内部の圧力を調整して、これにより前記洗浄液の樹脂シ−トの内側での加圧量を調整する洗浄液供給圧調整手段と、を備え、前記洗浄液を樹脂シ−トの内側で加圧して当該樹脂シ−トの微細な孔から吹き出させる基板洗浄具を基板に対して相対的に摺動させて当該基板の洗浄を行う基板洗浄方法において、
樹脂シ−トを基板に押圧させる工程と、
洗浄液を樹脂シ−トの内側で加圧する工程と、を含み、
樹脂シ−トの基板への押圧量と樹脂シ−トの内側の洗浄液の加圧量とにより、樹脂シ−トの基板への荷重を調整し、基板の処理中は、樹脂シ−トの内側の洗浄液の加圧量をほぼ一定に調整することを特徴とする基板洗浄方法。
【請求項１１】
基板の処理時における樹脂シ−トの内側の洗浄液の加圧量は、未処理時よりも大きいことを特徴とする請求項９又は１０記載の基板洗浄方法。
【請求項１２】
樹脂シ−トの内側の洗浄液の加圧量は、基板の洗浄面に応じて可変であることを特徴とする請求項９又は１０記載の基板洗浄方法。
【発明の詳細な説明】
【０００１】
【発明の属する技術分野】
本発明は、基板の洗浄に用いられる基板洗浄具及び基板洗浄方法に関する。
【０００２】
【従来の技術】
半導体デバイスの製造プロセスにおいては、半導体デバイスが形成される半導体ウエハ（以下「ウエハ」という）の表面の清浄度を高く維持する必要がある。このため各々の製造プロセスや処理プロセスの前後には必要に応じてウエハ表面を洗浄しているが、例えば成膜工程や研磨工程の後にも例えば図１２に示す洗浄装置を用いてウエハ表面の洗浄が行われている。
【０００３】
前記洗浄装置について簡単に説明すると、この装置はウエハＷの外周全体を保持すると共に、水平方向に回転可能なウエハ保持部１０と、ウエハＷの表面に洗浄液を供給するためのノズル１１と、ウエハＷの表面に所定の圧力で接触されるブラシ１２と、ウエハ保持部１０とウエハＷの周囲を包囲し、垂直方向に移動可能なカップ１４とを備えて構成されている。このような洗浄装置では、ウエハＷとブラシ部１７とを鉛直な軸のまわりに回転させ、ウエハＷの表面にノズル１１及びブラシ１２を介して洗浄液を供給すると共に、当該ブラシ１２をウエハＷの表面に押し当ててウエハＷとブラシ１２とを相対的に摺動させることにより、ウエハＷ表面の粒子汚染物を除去している。
【０００４】
ここで前記ブラシ１２について図１３（ａ）の断面図及び図１３（ｂ）の底面図を用いて説明すると、このブラシ１２は、回転軸１５により例えば４本の支持杆１５ａを介して鉛直な軸のまわりに回転可能に構成された筒状の本体１６の下端側にブラシ部１７を取り付けて構成されている。このブラシ部１７は発泡ＰＶＡ（ポリビニルアルコ−ル）からなる複数の円柱状のブラシ体１７ａの上部側を支持板１７ｂで支持して構成されており、前記支持板１７ｂの外面は本体１６の内壁面の下部側に固定されている。これにより各ブラシ体１７ａは上面が本体１６内に露出すると共に、下面が本体１６の下側に突出するようになっている。
【０００５】
またブラシ部１７の上面のほぼ回転中心には前記回転軸１５の一端側が取り付けられており、さらに本体１６の上部側には、本体１６内部に洗浄液例えば純水を供給するための供給管１８が、先端側が支持杆１５ａの上方側に位置して本体１６内部に開口するように設けられている。こうしてブラシ１２は回転軸１５の回転により本体１６及びブラシ部１７が回転し、ここに供給管１８から洗浄液が供給されて当該液がブラシ体１７ａの発泡体の内部を通過してウエハＷ表面に供給されるようになっている。
【０００６】
【発明が解決しようとする課題】
しかしながら上述のブラシ１２では、洗浄の際にウエハの粒子汚染物等のパ−ティクルがブラシ体１７ａの表面に付着したり、当該付着したパ−ティクルが洗浄処理時のウエハＷとブラシ体１７ａとの摺動等によって、ブラシ体１７ａを構成する発泡体内部の孔部に入り込んでしまうことがある。
【０００７】
このようにブラシ体１７ａにパ−ティクルが付着すると、何らかのタイミングで当該パ−ティクルブラシ体１７ａから剥がれ落ちてウエハＷに転写され、洗浄後のウエハＷにパ−ティクルが残存するおそれがあった。
【０００８】
本発明はこのような事情の下になされたものであり、その目的は、パ−ティクルが付着しにくく、しかも洗浄が容易な基板洗浄具を提供することにある。
【０００９】
【課題を解決するための手段】
このため本発明の基板洗浄具は、洗浄液を基板に供給するための洗浄液供給路部材と、この洗浄液供給路部材の出口を塞いで外側に膨らむように設けられ、多数の微細な孔を有する、基板を擦するための樹脂シ−トと、洗浄液供給路部材の途中に設けられ、洗浄液供給路部材の内部の圧力を調整して、これにより前記洗浄液の樹脂シ−トの内側での加圧量を調整する洗浄液供給圧調整手段と、を備え、前記洗浄液を樹脂シートの内側に供給することにより、樹脂シートを洗浄液供給路部材の出口から外側に膨らませ、洗浄液を樹脂シ−トの内側で加圧して当該樹脂シ−トの微細な孔から吹き出させると共に樹脂シートを基板に押圧させ、前記樹脂シ−トの内側の洗浄液の加圧量にて樹脂シ−トの基板への荷重を調整し、かつ基板の処理中は、樹脂シ−トの内側の洗浄液の加圧量をほぼ一定に調整することを特徴とする。また洗浄液供給路部材を基板に対して接離させるための駆動部と、を備え、前記洗浄液を樹脂シートの内側に供給することにより、樹脂シートを洗浄液供給路部材の出口から外側に膨らませ、洗浄液を樹脂シ−トの内側で加圧して当該樹脂シ−トの微細な孔から吹き出させると共に樹脂シートを基板に押圧させ、かつ洗浄液により内側が加圧された樹脂シ−トを前記駆動部により基板に押圧させ、前記樹脂シ−トの内側の洗浄液の加圧量と、前記駆動部による樹脂シ−トの基板への押圧量とにより、樹脂シ−トの基板への荷重を調整し、基板の処理中は、樹脂シ−トの内側の洗浄液の加圧量をほぼ一定に調整することを特徴とする。ここで基板洗浄具は、洗浄液供給路部材は洗浄液供給管と、この洗浄液供給管に気密にかつ回転自在に嵌合された回転筒とを備え、洗浄液供給圧調整手段は洗浄液供給管の途中に設けられると共に、樹脂シ−トはこの回転筒の出口側に設けられ、前記回転筒を回転させるための駆動部を設けるように構成してもよい。
【００１０】
このような基板洗浄具では、樹脂シ−ト表面とパ−ティクルとの密着力が小さいので当該表面自体にパ−ティクルが付着しにくい。また洗浄液を樹脂シ−トの内部から吹き出させて洗浄を行っているので、樹脂シ−トの微細な孔には常に内部から外部へ向かう液流があり、これにより樹脂シ−トの内部にパ−ティクルが入り込みにくい。このため基板の洗浄の際に、樹脂シ−トに付着したパ−ティクルが基板に転写され、基板が汚染されてしまうという現象の発生が抑えられる。また基板洗浄具を洗浄する場合にはパ−ティクルが落ちやすいので洗浄が容易になり、洗浄に要する時間を短縮することができる。
【００１１】
また前記基板洗浄具は、洗浄液供給路部材を通る洗浄液に超音波を発振してこの洗浄液を振動させる超音波発振部を備えるように構成してもよく、この場合には、洗浄液を超音波振動させた状態で基板表面に供給できるので、洗浄力や分散力をより大きくすることができる。
【００１２】
さらに前記洗浄液供給路部材の出口側には、樹脂シ−トの内側に洗浄液の流路を塞ぐように、多数の孔を備えた水流分散板を設けるようにしてもよい。この場合には、樹脂シ−トの内部を大きな圧力で均等に加圧することができ、これにより洗浄力を大きくすることができる。
【００１３】
さらにまた洗浄液供給路部材の出口側には、樹脂シ−トの内側に洗浄液の流路を塞ぐように透水性の弾性体を設けるようにしてもよい。この場合には前記弾性体が樹脂シ−トの芯材になり、洗浄液の樹脂シ−トへの供給量が少なくても樹脂シ−トの内部が所定の圧力になるため、洗浄液の消費量を低減することができる。
【００１４】
さらにまた洗浄液供給路部材を基板に対して接離させるための駆動部を備え、洗浄液により内側が加圧された樹脂シ−トを前記駆動部により基板に押圧させ、この押圧量を変えることにより樹脂シ−トの基板への荷重を調整するようにしてもよく、この場合には前記荷重の調整を広い範囲で容易に行うことができる。またこの場合樹脂シ−トを基板に押圧させてから洗浄液を樹脂シ−トの内側で加圧し、樹脂シ−トの基板への押圧量と樹脂シ−トの内圧とにより、樹脂シ−トの基板への荷重を調整するようにしてもよい。さらに樹脂シ−トの高さを一定にした後、洗浄液を樹脂シ−トの内側で加圧して、これにより基板に押圧させ、樹脂シ−トの内圧により樹脂シ−トの基板への荷重を調整するようにしてもよい。
【００１５】
さらにまた前記樹脂シ−トは例えばフッ素樹脂やポリオレフィン樹脂により構成することが好ましく、このようにすると表面の摩擦係数が小さいのでパ−ティクルがより付着しにくくなると共に、薬液に対する耐候性が強いので洗浄力の大きい薬液を用いることができ、洗浄力を高めることができる。
【００１６】
【発明の実施の形態】
図１は本発明の基板洗浄具をなす洗浄ブラシの実施の形態の一例を示す断面図であり、図２はその斜視図である。図中２は、例えば鉛直な軸のまわりに回転自在な基板保持部２１にて水平（ほぼ水平な状態も含む）に保持された基板例えばウエハＷの表面に洗浄液を供給するための鉛直な洗浄液供給管であり、この洗浄液供給管２の回りには磁気シ−ル部２２を介して回転筒３が気密にかつ回転自在に嵌合されている。
【００１７】
この回転筒３は当該洗浄液供給管２が上側の開口部から挿入される上側円筒体３１と、上側円筒体３１よりも口径が大きい下側円筒体３２とをこの順に上下に連通させて構成されており、下側円筒体３２の下側の開口部が回転筒３の出口側に相当している。このような回転筒３には、水流拡散板４１が下側円筒体３２の出口側開口部を塞ぐように設けられている。この水流拡散板４１は例えば直径数μｍ〜数ｍｍ程度の大きさの通流孔４２が多数形成されて構成されており、例えば下方側円筒体３２の下縁に外側に膨らんだ状態になるように取り付けられている。
【００１８】
さらに回転筒３の前記水流拡散板４１の外側には、樹脂シ−ト４３が下側円筒体３２の出口側開口部を塞ぐように設けられている。つまり樹脂シ−ト４３はこの例では袋状に構成されており、当該樹脂シ−ト４３の開口部を下側円筒体３２の下部側に被せ、水流拡散板４１の外方側に所定の空間が確保されるように、下側円筒体３２の外面と樹脂シ−ト４３とが気密に固定されている。
【００１９】
前記樹脂シ−ト４３の材質としては、シ−ト表面の摩擦係数が小さく、通常の圧力では洗浄液は通過できないが、加圧状態では通過できる程度の大きさの微細な孔を多数有する多孔質体の樹脂が用いられ、このような樹脂としてはフッ素樹脂等を用いることができる。一例を挙げると例えば膜厚が０．１ｍｍ〜数ｍｍ、孔の大きさが０．０１〜数百μｍ程度の例えばＰＴＦＥ（ポリテトラフルオルエチレン）製のシ−ト等が用いられる。
【００２０】
このような回転筒３は、上側開口部は洗浄液供給管２に磁気シ−ル部２２により気密に嵌合されていると共に、下側開口部は樹脂シ−ト４３により気密に塞がれているので内部が密閉状態になっている。そして洗浄液供給管２から洗浄液が供給されると、後述するように洗浄液が水流拡散板４１を介して樹脂シ−ト４３内に通流して樹脂シ−ト４３の内部に溜まり、当該樹脂シ−ト４３の内部が洗浄液で一杯になると、樹脂シ−ト４３が水流拡散板４１の外方側に膨らんだ状態になるようになっている。
【００２１】
このような回転筒３は例えば水平方向に移動可能に構成された水平な支持ア−ム５に、上側円筒体３１の上部側が埋設されるように取り付けられている。この支持ア−ム５の中には、駆動部をなすモ−タ５１と、このモ−タ５１の回転軸５２に設けられた駆動プ−リ５３と、上側円筒体３１の外面に設けられた従動プ−リ５４と、駆動プ−リ５３と従動プ−リ５４との間に架け渡されたベルト５５とが内蔵されていて、モ−タ５１の回転力が上側円筒体３１に伝達され、これにより回転筒３が鉛直な軸のまわりに回転されるようになっている。
【００２２】
さらに洗浄液供給管２は上側円筒体３１の上方側で水平に屈曲しており、例えば昇降可能に構成された鉛直な昇降軸５６に組み合わされた支持ア−ム５の中を通って他端側が図示しない洗浄液槽に接続されている。本実施の形態では洗浄液供給管２と回転筒３とにより洗浄液供給路部材が構成されている。
【００２３】
このような洗浄ブラシでは、洗浄液供給管２より回転筒３内に洗浄液例えば純水を供給すると、当該洗浄液は水流拡散板４１の通流孔４２を介して樹脂シ−ト４３の内部に流出していく。この際樹脂シ−ト４３の孔の大きさは０．０１〜数百μｍ程度であるので、洗浄液は通常の圧力ではこの樹脂シ−ト４３を通過できずに当該樹脂シ−ト４３の内部に閉じ込められ、当該内部に次第に溜まって行く。こうして洗浄液は樹脂シ−ト４３内部を満たし、次いで回転筒３の内部を満たして行く。
【００２４】
ここで回転筒３内は上述のように密閉状態にあることから、例えば磁気シ−ル部２２の下面付近まで洗浄液で満たされると次第に内部が加圧されていく。そして所定の圧力まで加圧されると、洗浄液は樹脂シ−ト４３の微細な孔から外部に吹き出していく。
【００２５】
この状態では洗浄ブラシは樹脂シ−ト４３が外側に膨らんだ状態にあり、このような洗浄ブラシをウエハＷ表面に押圧させると、図３に示すように樹脂シ−ト４３の下面はウエハＷ表面に押し付けられて、当該表面に沿うように平らに変形した状態でウエハＷに接触する。そしてこの状態で洗浄ブラシをモ−タ５１により回転させると共に、ウエハＷを基板保持部２１により回転させ、こうしてウエハＷと洗浄ブラシの下面とを相対的に摺動させて、ウエハＷの洗浄が行われる。なお洗浄ブラシは回転しなくてもよい。
【００２６】
一方水流拡散板４１を設けると、ウエハＷを洗浄する際に樹脂シ−ト４３がウエハＷ表面に合わせて変形しやすく、当該表面に隙間無く接触されるので、ウエハＷと樹脂シ−ト４３との接触面積が大きくなると共に、当該接触している面の洗浄力のバラツキが抑えられる。
【００２７】
このような洗浄ブラシでは、樹脂シ−ト４３の摩擦係数が小さいという性質を利用し、樹脂シ−ト４３表面とパ−ティクルとの密着力が小さく、当該表面自体にパ−ティクルが付着しにくい。また洗浄液を樹脂シ−ト４３の内部から吹き出させているので、洗浄処理の際、樹脂シ−ト４３の微細な孔には常に内部から外部へ向かう液流があり、これにより樹脂シ−ト４３の孔にはパ−ティクルが外部から入り込みにくい。
【００２８】
このようにパ−ティクルは樹脂シ−ト４３の表面に付着しにくく、また内部にも入り込みにくいので、このためウエハＷの洗浄の際に、樹脂シ−ト４３に付着したパ−ティクルがウエハＷに転写され、ウエハＷが汚染されてしまうという現象は起こりにくい。また樹脂シ−ト４３にパ−ティクルが付着したとしても、既述のようにパ−ティクルと樹脂シ−ト４３との密着性が低いので、洗浄ブラシの洗浄の際パ−ティクルが落ちやすい。このため洗浄に要する時間がかなり短くて済み、洗浄処理全体のスル−プットを向上させることができる。
【００２９】
またＰＴＦＥは薬液に対する耐候性が強いので、例えば洗浄液としてオゾン等の洗浄力の大きい薬液を用いることができ、この場合には洗浄力を高めることができる。さらに樹脂シ−ト４３の膜厚や孔の大きさや形状を変えることにより、樹脂シ−ト４３内部の加圧力を変化させることができるので、これにより洗浄液の吐出量や吐出圧力を調整することができる。さらにまた洗浄液供給管２の途中に、洗浄液供給管２内の圧力を調整するための圧力調整弁を設け、この圧力調整弁により洗浄液の吐出量や吐出圧力を調整するようにしてもよい。
【００３０】
続いて本発明の他の例について図４により説明する。この例が上述の実施の形態と異なる点は、洗浄液供給路部材を通る洗浄液に超音波を発振するように構成したことである。例えば回転筒３内に鉛直に挿入された洗浄液供給管６の先端側には、当該洗浄液供給管６を囲むように超音波発振部６１が設けられており、この超音波発振部６１の内部には、洗浄液供給管６を囲むリング状の超音波発振子６２が長さ方向に複数個設けられている。この場合超音波発振部６１は図示しない電源部をスイッチによりオン・オフできるように構成してもよいし、また超音波発振部６１の超音波振動の強さを調整できるように構成してよい。またブラシ本体の外部に超音波発振部６１を設けてもよい。
【００３１】
このような構成では、洗浄液供給管６を通る洗浄液に超音波発振子６２から超音波が発振され、洗浄液は超音波により振動した状態で前記洗浄液供給管６から吐出される。このように超音波が発振された洗浄液を回転筒３内に供給すると、洗浄液は振動した状態で水流拡散板４１を介して樹脂シ−ト４３内に分散されていき、振動した状態で樹脂シ−ト４３から吹き出していく。このように洗浄液が振動した状態でウエハＷ表面に供給されると、振動している洗浄液は振動していない洗浄液に比べて洗浄力や分散力が大きいので、洗浄効果が高められる。
【００３２】
次いで本発明の洗浄ブラシをウエハＷの表裏両面を洗浄するタイプの洗浄装置に適用した例について図５により説明する。図中７０はウエハＷの下方側を覆う筒状の回転体であり、この回転体７０の下部側は上部側に比べてわずかに縮径している。当該縮径部７１の内側にはベアリング機構７２を介して垂直な筒状体７３が設けられており、この筒状体７３の下端側は水平な固定板７４の上面に接続されている。また前記縮径部７１の外周囲と図示しないモ−タとの間にはベルト７５が架け渡されている。
【００３３】
この回転体７０の上部には、例えばウエハＷの周縁部の６か所の位置にウエハＷの外面を保持するための保持部材７６が設けられている。この保持部材７６は例えば内周面の途中でウエハＷの端面を保持すると共に、前記内周面がウエハＷの下方側で内側に傾斜するように構成されている。この保持部材７６は水平な回転軸７７を介して回転体７０に、水平な軸のまわりに回転可能に取り付けられると共に、図示しない重錘が設けられていて、回転体７０が回転したときの遠心力により保持部材７６の上部側が内側に倒れてウエハＷの周縁部の挟圧力が大きくなるように構成されている。
【００３４】
保持部材７６に保持されたウエハＷの表面には、ウエハＷ表面を洗浄するための第１の洗浄ブラシ８１と、ウエハＷ表面に洗浄液を供給するための第１のノズル８２とが夫々ア−ム８３，８４に支持されて、保持部材７６に保持されたウエハＷの外側の待機位置と、ウエハＷを洗浄するときの洗浄位置との間で水平方向及び垂直方向に移動可能に構成されている。
【００３５】
また回転体７０の内部には、ウエハＷの裏面を洗浄するための第２の洗浄ブラシ９１が折り畳み式のブラシア−ム９２に支持されて設けられると共に、ウエハＷの裏面に洗浄液を供給するための第２のノズル９３が設けられている。これらブラシア−ム９２とノズル９３は固定板７４に形成された孔部７４ａを介して夫々駆動部９４，９５に接続されている。この例では第１及び第２の洗浄ブラシ８１，９１は夫々上述の洗浄ブラシにより構成されている。
【００３６】
このような洗浄装置では、第１の洗浄ブラシ８１及び第１のノズル８２を待機位置に位置させた状態で、図示しない搬送ア−ムにて保持したウエハＷを保持部材７６で囲まれた領域の上方側から下降させて保持部材７６に受け渡し、当該保持部材７６に保持させる。次いでモ−タの回転力をベルトにより縮径部７１に伝達し、回転体７０を鉛直な軸のまわりに回転させる一方、洗浄ブラシ８１及びノズル８２をウエハＷの上方側に移動し、第１及び第２のノズル８２，９３からウエハＷの表面及び裏面に洗浄液を夫々供給する。
【００３７】
一方第１及び第２の洗浄ブラシ８１，９１は、回転筒３内に洗浄液を供給して樹脂シ−ト４３から洗浄液を吹き出させると共に、ウエハＷの表面及び裏面に夫々所定の押圧力で接触させる。そして各洗浄ブラシ８１，９１を鉛直な軸のまわりに回転させると共に、ア−ム８３，ブラシア−ム９２によりウエハＷ上を水平方向に移動させながら洗浄処理を行う。
【００３８】
このように本発明の洗浄ブラシをウエハＷの両面を洗浄するタイプの洗浄装置に適用した場合には、ウエハＷの表面及び裏面を同時に洗浄することができるので、従来ウエハＷの両面を洗浄する場合には必要であった反転装置が不要となり、従来装置に比べて洗浄装置全体が小形化するうえ、洗浄処理時間が大幅に短縮され、スル−プットが向上するなどの利点が得られる。
【００３９】
以上において本発明では洗浄ブラシを次のように構成してもよい。この洗浄ブラシが上述の洗浄ブラシと異なる点は、上述の洗浄ブラシでは樹脂シ−ト４３内の内圧を変えることによりウエハＷへの押圧力を調整していたが、この洗浄ブラシでは洗浄ブラシ自体を下降させてウエハＷを押圧することにより、前記押圧力を調整するようにしたことである。
【００４０】
このような洗浄ブラシについて図６により具体的に説明すると、この例は、洗浄ブラシを支持する水平な支持ア−ム５の基端側に、他端側が駆動部をなす昇降機構５８に接続された昇降軸５７が設けられており、この昇降軸５７を昇降機構５８により昇降させることにより洗浄ブラシをウエハＷに対して接離させ、洗浄ブラシのウエハＷへの押圧力を調整するように構成されている。またこの洗浄ブラシには、例えば支持ア−ム５と昇降軸５７の内部に設けられた洗浄液供給管２の途中に、当該洗浄液供給管２内の圧力を調整するための洗浄液供給圧調整手段である圧力調整弁２２が設けられている。この圧力調整弁２２により樹脂シ−トの内部の加圧力が変化され、洗浄液の吐出量や吐出圧力が調整される。その他の構成は上述の図１に示す洗浄ブラシと同様である。
【００４１】
続いてこの洗浄ブラシの作用について説明する。先ず洗浄ブラシの樹脂シ−ト４３の内圧と洗浄ブラシの押付け代の決定方法の一例について説明するが、この例では例えば待機位置にてこれを決定する。つまり例えば待機位置には図７に示すように、底部に排液管１０１が接続された液受け部１００が設けられており、この液受け部１００の内部には重量計１０２が設けられていて、この重量計１０２の上面とウエハＷの上面とは高さ位置が揃うようになっている。そして洗浄ブラシに洗浄液を供給している状態で重量計１０２にて当該洗浄ブラシの荷重を測定し、この測定値に基づいて所定の荷重（押圧力）を得るための樹脂シ−ト４３の内圧と洗浄ブラシの押付け代を決定する。
【００４２】
ここで樹脂シ−ト４３の内圧は洗浄液の供給量により決定され、供給量が多くなれば前記内圧が大きくなって前記荷重が大きくなる。この際洗浄液供給管２には圧力調整弁２２が設けられているので、樹脂シ−ト４３の内圧はほぼ一定に維持される。また前記押付け代とは、洗浄ブラシでウエハＷを押圧する場合に、洗浄ブラシの下端側がウエハＷ上面に接触した位置からさらに洗浄ブラシを下降させたときの下降距離のことをいい、当該下降距離が大きくなれば前記荷重が大きくなるが、測定値から洗浄ブラシの下降量が決定される。
【００４３】
続いて一旦洗浄液の供給量を少なくして樹脂シ−ト４３の内圧を小さくした状態で支持ア−ム５と昇降軸５７を作動させて、洗浄ブラシを待機位置からウエハＷを洗浄する処理位置まで移動させた後、昇降軸５７を下降させて洗浄ブラシの下端側をウエハＷの所定位置に接触させる。次いで上述の方法にて予め決定された押付け代分洗浄ブラシを下降させてウエハＷを押圧した後、樹脂シ−ト４３の内圧が予め決定された圧力となるように洗浄液を供給しながら、上述の実施の形態と同様の方法でウエハＷを洗浄する。
【００４４】
このような洗浄ブラシでは、洗浄ブラシの押付け代を変えることによりウエハＷへの押圧力の調整を行っているので、樹脂シ−ト４３の内圧のみで押圧力を調整する場合に比べてウエハＷへの押圧力の調整を広い範囲で容易に行うことができる。一般に例えばアルミ膜の洗浄の場合には膜に傷がつきやすいので押圧力を小さくし、ウエハＷの裏面側の洗浄等の膜に傷がつきにくい場合には、パ−ティクル除去率向上のため押圧力を大きくしているので、押圧力の調整が容易であることは有効である。また押圧力を必要に応じて調整できることから、樹脂シ−ト４３に圧力がかかることによる樹脂シ−ト４３への負担を必要量程度まで小さくでき、これにより寿命を長くできるという効果も得られる。
【００４５】
さらに上述の例では樹脂シ−ト４３の内圧を圧力調整弁２２により一定に維持しているので押圧力を一定に維持することができる。ここで洗浄ブラシの押付け代と樹脂シ−ト４３の内圧は上述の方法等により予め決定され、洗浄時にこれらを連続して制御する必要はないので、簡易な手法で所望の押圧力を得ることができ、低コストで洗浄力の安定を図ることができる。
【００４６】
さらに樹脂シ−ト４３の内圧を洗浄時には大きくし、待機時や移動時等の非処理時には小さく設定することにより、非処理時には洗浄液の消費量の低減や、樹脂シ−ト４３に圧力がかかることによる樹脂シ−ト４３の損傷を押さえることができるので、結果的に洗浄液の消費量を低減し、樹脂シ−ト４３の寿命を向上させることができる。
【００４７】
このような洗浄ブラシは、昇降機構５８を設けて支持ア−ム５を昇降させる構成以外に、図８に示すように、支持ア−ム５の先端に例えばエアシリンダ５９を設け、このエアシリンダ５９により洗浄ブラシを昇降させる構成としてもよい。この例では上側円筒体３１と下側円筒体３２は回転されない構成となっており、上側円筒体３１の上端側が支持ア−ム５の先端の下端側に設けられたエアシリンダ５９に接続されていて、当該エアシリンダ５９により上側円筒体３１が押圧されて、洗浄ブラシが昇降するようになっている。
【００４８】
また上述の洗浄ブラシでは、待機時に洗浄ブラシの押付け代と樹脂シ−ト４３の内圧を決定するようにしたが、これらは予め別の領域で決定しておき、待機時には洗浄ブラシを液受け容器１００内に待機させるのみにするようにようにしてもよい。また処理時と非処理時との間で樹脂シ−ト４３内の内圧を変えないようにしてもよい。
【００４９】
以上において洗浄ブラシ自体を下降させてウエハを押圧することにより前記押圧力を調整する場合において述べたが、本発明にて昇降手段によりウエハに対する洗浄ブラシの高さを一定にした後、洗浄ブラシ内の内圧を変えることによりウエハへの押圧力を調整することもできる。
【００５０】
続いて洗浄ブラシの他の例を図９に基づいて説明するが、この例が上述の洗浄ブラシと異なる点は、洗浄ブラシの水流拡散板４１と樹脂シ−ト４３との間に、透水性の弾性体例えばスポンジ４４を芯材として充填したことである。樹脂シ−ト４３の上端は上述の例と同様に下側円筒体３２の外面に気密に固定されているが、当該樹脂シ−ト４３はスポンジ４４の外面を被覆するように設けられていて、樹脂シ−ト４３が水流拡散板４１の外方側に膨らんだ状態になるようにスポンジ４４の形状が設定されている。このようなスポンジ４４は、洗浄液として純水を用いる場合には例えばＰＶＡにより形成することができる。その他の構成は上述の図１に示す洗浄ブラシと同様である。
【００５１】
この洗浄ブラシでは、洗浄液供給管２より供給された洗浄液は、水流拡散板４１を通過してスポンジ４４内に浸透していき、スポンジ４４内を透過して樹脂シ−ト４３の内部を満たし、次いで回転筒３の内部を満たしていく。そして回転筒３内が洗浄液で所定の圧力まで加圧された段階で洗浄液が樹脂シ−ト４３の微細な孔から外部に吹き出していき、こうして上述の例と同様にウエハＷが洗浄される。
【００５２】
このように樹脂シ−ト４３の内部にスポンジ４４を芯材として充填すると、樹脂シ−ト４３の形状はスポンジ４４により外方に膨らむように保持されているので、洗浄液の供給量が少なくても樹脂シ−ト４３の内圧をある程度の大きさにすることができる。このため樹脂シ−ト４３の内圧を所定の圧力にするための洗浄液の量を少なくすることができ、洗浄液消費量を低減することができる。
【００５３】
またこの例ではスポンジ４４により樹脂シ−ト４３の形状が保持されているので樹脂シ−ト４３がウエハＷ表面に合わせて変形しやすく、これによりウエハＷと樹脂シ−ト４３との接触面積を大きくとれるため、図１０に示すように水流拡散板４１を設けずに、下側円筒体３２の下端側に所定形状のスポンジ４４を設ける構成としてもよい。
【００５４】
以上において洗浄ブラシの樹脂シ−ト４３の材質としては、上述のようにＰＴＦＥ等の多孔質体の樹脂が用いられるが、ＰＴＦＥ以外に、孔の大きさが数μｍ〜数十μｍである、耐電防止処理を行ったポリオレフィン樹脂等の多孔質材料も用いることができる。
【００５５】
またＰＴＦＥをアルコ−ルに浸漬させて親水性にした多孔質材料も用いることができ、この場合には樹脂シ−ト４３が親水性になるので洗浄液がシ−トの微細な孔を通過しやすくなる。これにより樹脂シ−ト４３内の圧力が従来と同じ程度であれば、孔から流出する洗浄液の流量が多くなるので、これを利用して洗浄力を調整することができる。
【００５６】
続いてこのような洗浄ブラシを用いた洗浄方法の好適な例について図１１により説明する。図１１（ａ）中１０３は本発明の洗浄ブラシであり、１０４は純水用ノズル、１０５は洗浄液用ノズルであって、１０６はウエハＷをほぼ水平に保持すると共に、鉛直な軸の回りに回転させるためのウエハ保持部である。
【００５７】
この例では先ず図１１（ｂ）に示すように、洗浄液用ノズル１０５及び洗浄ブラシ１０３によりウエハＷ表面に洗浄液例えばオゾン水を供給すると共に、洗浄ブラシ１０３とウエハＷとを回転させて両者を相対的に摺動させ、ウエハＷ表面を洗浄する。次いで図１１（ｃ）に示すように、純水用ノズル１０４によりウエハＷ表面にリンス液である純水を供給しながらウエハＷを回転させ、こうして純水をウエハＷ表面に遠心力により行き渡らせることにより、純水により洗浄液を除去して当該ウエハＷ表面のリンスを行う。
【００５８】
この例は従来のＰＶＡやポリウレタン等により構成されたブラシでは用いることのできなかったオゾン水や電解イオン水、ＲＣＡ（塩酸過水、アンモニア過水）等の洗浄力の大きい薬液を洗浄液として用いることに特徴があるが、本発明の洗浄ブラシは耐薬品性が高いためこのような洗浄液を用いることができ、このため洗浄効果を高めることができる。
【００５９】
以上において本発明は、フッ酸溶液により酸化膜をエッチングする場合や例えばリン酸溶液によって窒化膜をエッチングする場合、リン酸、酢酸、硝酸の混合液によってアルミニウムをエッチングする場合の後の洗浄処理に適用できる。またその他洗浄処理としては、ＡＰＭ溶液（アンモニア＋過酸化水素水＋純水）によりパ−ティクルの除去を行う場合や、ＨＰＭ溶液（塩酸＋過酸化水素水＋純水）により金属汚染を清浄する場合、ＳＰＭ溶液（硝酸＋過酸化水素水）によりレジスト膜の有機物を除去する場合等に適用できる。
【００６０】
【発明の効果】
請求項１及び２の発明によれば、パ−ティクルが樹脂シ−トの表面に付着したり、樹脂シ−トの内部に入り込むことを抑えることができ、また基板洗浄具自体の洗浄を容易に行うことができる。請求項３の発明によれば、洗浄液を超音波振動させた状態で基板表面に供給できるので、洗浄力や分散力をより大きくすることができる。請求項４の発明によれば、樹脂シ−トの内部を大きな圧力で均等に加圧することができ、これにより洗浄力を大きくすることができる。
【００６１】
また請求項５の発明によれば、樹脂シ−ト内への洗浄液の供給量が少なくても樹脂シ−ト内を所定の圧力に維持することができるので、洗浄液の消費量を低減することができる。請求項６の発明によれば、樹脂シ−トの押圧量により樹脂シ−トの基板に対する荷重を調整するので、前記荷重の調整を広い範囲で容易に行うことができる。請求項７及び請求項８の発明によれば、樹脂シ−トに付着するパ−ティクル量をより低減できると共に、洗浄力の大きい薬液を用いることができ、洗浄力を高めることができる。
【００６２】
さらに請求項１、３〜９の発明によれば、樹脂シ−ト内の洗浄液の加圧量を調整することにより樹脂シ−トの基板に対する荷重を調整しているので、荷重の調整を容易に行うことができる。また請求項２、１０〜１２の発明によれば、樹脂シ−トの押圧量と樹脂シ−トの内圧により樹脂シ−トの基板に対する荷重を調整するので、前記荷重の調整をさらに広い範囲で容易に行うことができる。特に請求項１０の発明によれば洗浄力の安定を図ることができ、請求項１１の発明によれば洗浄液の消費量の低減や樹脂シ−トの損傷を図ることができ、請求項１２の発明によれば基板の洗浄面に適した洗浄を行うことができる。
【図面の簡単な説明】
【図１】本発明の基板洗浄具の実施の形態の一例を示す縦断側面図である。
【図２】前記基板洗浄具を示す斜視図である。
【図３】前記基板洗浄具の作用を説明するための縦断側面図である。
【図４】本発明の基板洗浄具の他の例を示す縦断側面図である。
【図５】本発明の基板洗浄具を適用した洗浄装置の一例を示す縦断側面図である。
【図６】本発明の基板洗浄具のさらに他の例を示す縦断側面図である。
【図７】前記基板洗浄具の押圧力の決定方法の一例を示す断面図である。
【図８】本発明の基板洗浄具のさらに他の例を示す縦断側面図である。
【図９】本発明の基板洗浄具のさらに他の例を示す縦断側面図である。
【図１０】本発明の基板洗浄具のさらに他の例を示す縦断側面図である。
【図１１】本発明の基板洗浄具を用いた洗浄方法の一例を示す工程図である。
【図１２】従来の洗浄装置を示す縦断側面図である。
【図１３】従来の洗浄ブラシを示す縦断側面図と底面図である。
【符号の説明】
２，６    洗浄液供給管
２１      ウエハ保持部
２２      圧力調整弁
３        回転筒
４１      水流拡散板
４２      通流孔
４３      樹脂シ−ト
４４      スポンジ
５        支持ア−ム
５１      モ−タ
５７      昇降軸
５８      昇降機構
５９      エアシリンダ
６１      超音波発振部
Ｗ        半導体ウエハ
【図１】
0003654779.tif 000002
【図２】
0003654779.tif 000003
【図３】
0003654779.tif 000004
【図４】
0003654779.tif 000005
【図５】
0003654779.tif 000006
【図６】
0003654779.tif 000007
【図７】
0003654779.tif 000008
【図８】
0003654779.tif 000009
【図９】
0003654779.tif 000010
【図１０】
0003654779.tif 000011
【図１１】
0003654779.tif 000012
【図１２】
0003654779.tif 000013
【図１３】
0003654779.tif 000014